(57)【要約】【課題】安価で、且つ散布容器に迅速且つ確実に液体媒体及び加圧ガスを充填できる散布容器補充用の充填装置を提供することを課題とする。【解決手段】突出管９１の押し込み操作により開弁して容器内と外部とが連通する単一バルブ９０を有した散布容器９に、前記単一バルブ９０から液体媒体及び加圧ガスを補充する形式の散布容器補充用の充填装置であって、所定量の液体媒体及び加圧ガスを一旦受容する投与容器１を有すると共に、前記投与容器１から、散布容器の単一バルブ９０に接続可能なバルブとして構成された充填接続部４へ通じる充填ラインを設け、前記投与容器４に接続された加圧ガス装置２により、投与容器１内の液体媒体と加圧ガスを同時に充填接続部４に接続された散布容器９内に押し出して、散布容器９内に液体媒体を充填すると共にガスクッションを形成せしめるようにしてある。【選択図】  図５
2005059855.tif 000002
【特許請求の範囲】
【請求項１】
突出管の押し込み操作により開弁して容器内と外部とが連通する単一バルブを有した散布容器に、前記単一バルブから液体媒体及び加圧ガスを補充する形式の散布容器補充用の充填装置であって、所定量の液体媒体及び加圧ガスを一旦受容する投与容器を有すると共に、前記投与容器から、散布容器の単一バルブに接続可能なバルブとして構成された充填接続部へ通じる充填ラインを設け、前記投与容器に接続された加圧ガス装置により、投与容器内の液体媒体と加圧ガスを同時に充填接続部に接続された散布容器内に押し出して、散布容器内に液体媒体を充填すると共にガスクッションを形成せしめるようにしたことを特徴とする散布容器補充用の充填装置。
【請求項２】
投与容器は、ピストンの外周に設けたシールリングによりシリンダ内を二室に分離し且つピストンに設けた出力軸がシリンダの一端より流体密状態で突出させて成るものとしてあり、前記二室のうち、一方を液体媒体及び加圧ガスを受容する第１室とし、他方を第１室に受容した液体媒体及び加圧ガスを押し出すべく加圧ガス装置からのガスを受容する第２室としてあることを特徴とする請求項１記載の散布容器補充用の充填装置。
【請求項３】
散布容器の突出管と充填接続部とを接続させた状態を維持する固定装置を具備していることを特徴とする請求項１又は２記載の散布容器補充用の充填装置。
【発明の詳細な説明】
【０００１】
【発明の属する技術分野】
この発明は、散布容器補充用の充填装置に関するものである。
【０００２】
【従来の技術】
噴霧缶やエアロゾル缶などの散布容器の多くの液体容器は一回限りの使用であり、内容物が放出されると廃棄される。前記廃棄を避けるため容器内に液体媒体及び加圧ガスを再補充する方法が試みられている。
【０００３】
ところで、液体媒体を再補充する装置としては、例えば、特許文献１に示されたものがある。
【０００４】
この装置は、液体容器と、電源手段を備えたポンプと、アエロゾルパッケージ内の液体を流入させるためのノズルと、液体容器からノズル内に液体を流入させるための流路とを備えた、再補充可能なアエロゾルパッケージを充填するためのものであり、制御ユニットと、前記制御ユニットに接続された、電源手段と、前記ノズルの手前の流路に配置された制御バルブと、前記ポンプと前記バルブとの間に配置された流量計と、スタータとを備え、かつ、前記流路が前記バルブの手前に配置された流量制限器を備えている。
【０００５】
よって、この装置を使用すると、液体媒体をアエロゾルパッケージに迅速且つ正確に再補充できる。
【０００６】
【特許文献１】
特表２０００−５１０７９６号
【０００７】
【発明が解決しようとする課題】
しかしながら、上記装置では、加圧ガスの充填を別に行わなければならず、結局のところ、迅速に液体媒体及び加圧ガスを充填できるというものではない。また、この装置では制御ユニットを使用しなければならず、装置自体が高価なものとなってしまうという問題がある。
【０００８】
そこで、この発明では、安価で、且つ散布容器に迅速且つ確実に液体媒体及び加圧ガスを充填できる散布容器補充用の充填装置を提供することを課題とする。
【０００９】
【課題を解決する為の手段】
（請求項１記載の発明）
この発明は、突出管の押し込み操作により開弁して容器内と外部とが連通する単一バルブを有した散布容器に、前記単一バルブから液体媒体及び加圧ガスを補充する形式の散布容器補充用の充填装置であって、所定量の液体媒体及び加圧ガスを一旦受容する投与容器を有すると共に、前記投与容器から、散布容器の単一バルブに接続可能なバルブとして構成された充填接続部へ通じる充填ラインを設け、前記投与容器に接続された加圧ガス装置により、投与容器内の液体媒体と加圧ガスを同時に充填接続部に接続された散布容器内に押し出して、散布容器内に液体媒体を充填すると共にガスクッションを形成せしめるようにしてある。
（請求項２記載の発明）
この発明の散布容器補充用の充填装置は、上記請求項１記載の発明に関し、投与容器は、ピストンの外周に設けたシールリングによりシリンダ内を二室に分離し且つピストンに設けた出力軸がシリンダの一端より流体密状態で突出させて成るものとしてあり、前記二室のうち、一方を液体媒体及び加圧ガスを受容する第１室とし、他方を第１室に受容した液体媒体及び加圧ガスを押し出すべく加圧ガス装置からのガスを受容する第２室としてある。
（請求項３記載の発明）
この発明の散布容器補充用の充填装置は、上記請求項１又は２記載の発明に関し、散布容器の突出管と充填接続部とを接続させた状態を維持する固定装置を具備している。
【００１０】
なお、これら発明の散布容器補充用の充填装置の校正用加圧装置の作用・効果については以下の発明の実施の形態の欄で明らかにする。
【００１１】
【発明の実施の形態】
以下、この発明の実施形態における散布容器補充用の充填装置を図面に基づいて説明する。
【００１２】
図１はこの発明の実施形態における散布容器補充用の充填装置Ｊの平面図、図２は前記散布容器補充用の充填装置Ｊの正面図、図３は散布容器９の断面図、図４は散布容器９の単一バルブ９０の断面図、図５〜図７は前記散布容器補充用の充填装置Ｊの作用を示す概念図を示している。
（この散布容器補充用の充填装置Ｊの基本的構成について）
この散布容器補充用の充填装置Ｊは、図３や図４に示すように、突出管９１の押し込み操作により開弁して容器内と外部とが連通する単一バルブ９０を有した散布容器９に、前記単一バルブ９０から液体媒体及び加圧ガスを同時に補充する形式のものであり、基本的には、図１、２、図５〜図７に示すように、散布容器９へ送る所定量の液体媒体及び加圧ガスを一旦受容する投与容器１と、加圧ガスの駆動源となる加圧ガス装置２（エアー源）と、液体媒体が入った缶３と、液体媒体及び加圧ガスを散布容器９に充填する際に接続する充填接続部４と、エアーバルブ５と、三方バルブ６と、一方向作動メカニカルバルブ７と、散布容器９を充填接続部４に接続させた状態を維持する固定装置８と、ラインＬ１〜Ｌ６とを具備している。
【００１３】
以下にこの充填装置Ｊの主要構成について詳述する。
（投与容器１の構成について）
投与容器１は、図５〜図７に示すように、シリンダ１０内をピストン１１の外周に設けたシールリング１２により二室に分離し且つピストン１１に設けた出力軸１３がシリンダ１０の一端より流体密状態で突出させて成るものとしてあり、前記二室のうち、一方を液体媒体及び加圧ガスを受容する第１室１４とし、他方を第１室に受容した液体媒体及び加圧ガスを押し出すべく加圧ガス装置２からのガスを受容する第２室１５としてある。
【００１４】
上記出力軸１３は、図５〜図７に示すように、その先端側一定域に、一方向作動メカニカルバルブ７のレバー７１を押し込んで流路を開くためのドグ１７を設けてあり、他方、バネ１６の付勢力によりシリンダ１０内に押し込む方向（第１室１４を広めて第２室１５を狭める方向）に付勢されている。
（加圧ガス装置２とこれに関連する構成について）
加圧ガス装置２は、例えばコンプレッサー等により構成されており、図５〜図７に示すようにエアーバルブ５が挿入されたラインＬ１を通じて投与容器３の第２室１５側の端部と接続されている。
【００１５】
また、この加圧ガス装置２は図５〜図７に示すように、一方向作動メカニカルバルブ７が挿入されたラインＬ３を通じてシリンダ１０の中程に接続されている。
【００１６】
さらに、この加圧ガス装置２は、図５〜図７に示すように、ラインＬ２を通じて三方向バルブ６の第１ポート６１に接続されており、前記三方向バルブ６の第２ポート６２は充填接続部４と接続されたラインＬ５が、前記三方向バルブ６の第３ポート６３はライン４を通じて投与容器３の第１室１４側の端部に接続されている。
（缶３とこれに関連する構成にについて）
缶３は、投与容器３内に数十回程度、液体媒体を送り込むことができる程度の容量を有するものとしてあり、図５〜図７に示すように、充填接続部４に接続されたラインＬ６が挿入されている。なお、前記ラインＬ６の下端は缶３の最下域に到るようにしてある。
（充填接続部４の構成について）
充填接続部４は、図５〜図７に示すように、上述した如くラインＬ５と接続されたブロック状のものであり、散布容器９の突出管９１を外周気密状態に挿入接続するための接続孔４０が形成されていると共に前記接続孔４０とラインＬ５とが連通接続される構成としてある。ここで、上記接続孔４０を構成する壁面には図８に示すように、周溝４３が形成されていると共に当該周溝４３内にはＯリング４２を設けてあり、突出管９１の外周面とＯリング４２の内周部との接触により「外周気密状態」が確保されている。他方、散布容器９の突出管９１が接続孔４０に挿入接続された押し込み状態では、図８に示すように、突出管９１の先端９１ｂと充填接続部４側の段付き部４４とが当接し、その結果、単一バルブ９０が開弁状態になる。
【００１７】
また、この充填接続部４内には、図５〜図７に示すように、ラインＬ５とラインＬ６とを繋ぐ部分に逆止弁４１を設けてあり、前記逆止弁４１によりラインＬ６側からラインＬ５側へは流体は移動できるが、その逆流体は移動できないようになっている。
（エアーバルブ５の構成について）
エアーバルブ５は、上述した如く加圧ガス装置２と投与容器３の第２室１５と連通接続するラインＬ１に挿入されているものであり、ＯＦＦ位置にセットすると当該バルブ５から第２室１５内の加圧ガスは大気へ排出され、液注入位置にセットすると加圧ガス装置２と投与容器３の第２室１５が連通するようになっている。
（三方バルブ６の構成について）
三方バルブ６は、図５〜図７に示すように、上述した如く第１・第２・第３ポート６１，６２，６３を有するものであり、エアー注入位置にセットするとラインＬ２とラインＬ５とが連通し、液注入位置にセットするとラインＬ４とラインＬ５とが連通するようになっている。
（一方向作動メカニカルバルブ７の構成について）
一方向作動メカニカルバルブ７は、図５〜図７に示すように、バルブ本体７０と、このバルブ本体７０に揺動可能に取り付けられたレバー７１とを有するものであり、レバー７が押し込まれていないときには流路は不通になっており、レバー７が押し込まれたときには流路が通じるようになっている。
【００１８】
ここで、この一方向作動メカニカルバルブ７は上記した投与容器１のドグ１７がレバー７１を押圧することにより開閉操作されるものであるが、流路を「開」にするタイミングは、図５に示すように、第１室１４を広げるべく移動するピストン１１のシールリング１２が、シリンダ１０とラインＬ４との接続部を通過した直後とし、それ以降も「開」状態が維持されるようにしてある。
（固定装置８の構成について）
固定装置８は、図２に示すように、レバー８０の回動操作を、二個のリンク８１ａ，８１ｂから成る回動−直線運動変換機構８１を介して、押圧板８３を有した軸体８２の進退運動に変換する構造のものであり、突出管９１が充填接続部４の接続孔４０に外周気密された挿入接続された状態で、散布容器９の底を押圧板８３で押圧するようにして当該散布容器９を固定するものである。
【００１９】
ここで、上記レバー８０は固定部に支持された支点Ｐ１を中心に回動するようにしてあり、レバー８０がａ位置からｂ位置に移動したときにはリンク８１ａ，８１ｂ相互の支点Ｐ２が、思案点を僅かに超えるように設定してある。したがって、レバー８０は不用意にｂ位置からａ位置に戻るようなことがなく、このため、突出管９１が充填接続部４の接続孔４０に外周気密された挿入接続状態（この状態では、散布容器９の突出管９１は押し込まれた状態になっている）では維持される。散布容器９を固定装置８から取り外す場合は、レバー８０を持ってｂ位置からａ位置に移動させればよい。
【００２０】
なお、上記した固定装置８の固定方法は、公知の技術であるので詳述しない。
（散布容器９の構成について）
散布容器９は、図３に示すように、容器本体９Ａの上部に単一バルブ９０を設けて成るものであり、同図の左側半分は単一バルブ９０の突出缶９１が押し込まれていない閉弁状態を示しており、同図の右側半分は突出缶９１が押し込まれている開弁状態を示している。
【００２１】
ここで、単一バルブ９０についてもう少し具体的に説明すると、上記単一バルブ９０は、図４に示すように、突出缶９１に設けられた貫通孔９１ａと、前記貫通孔９１ａを塞ぐ弾性部材（例えばゴム）から成る板状の栓体９２とから構成されている。そして、図４の左側半分は単一バルブ９０の突出缶９１が押し込まれていない閉弁状態では栓体９２の内周面が貫通孔９１ａを塞ぎ、同図の右側半分は突出缶９１が押し込まれている開弁状態では、栓体９２は変形してその内周面により貫通孔９１ａが塞がれないようになる。
【００２２】
したがって、この散布容器９では、突出缶９１を押し込むことにより図３や図４に示したルートＲで容器内の液体媒体は加圧ガスの圧力により外部に散布可能となり、また、散布容器補充用の充填装置Ｊの固定装置８に固定されたときには投与容器１からの液体媒体及び加圧ガスは、容器内に充填可能な状態となる。
【００２３】
なお、図３や図４中、符号９３で示すものは可撓性を有する導管であり、前記導管９３の下部に付いているのは重り９４である。したがって、散布容器９を逆さの姿勢にした場合、重り９４の重量により導管９３は撓んで当該導管９３の端部は液体媒体が存在する位置に常に移動することになるから、この状態においても液体媒体を散布することができる。
（この散布容器補充用の充填装置Ｊの機能について）
この散布容器補充用の充填装置Ｊによると、以下に示すようにして散布容器９に液体媒体及び加圧ガスを充填される。
Ａ．液体媒体及び加圧ガスの投与容器１への吸入
▲１▼．先ず、突出管９１が充填接続部４の接続孔４０に外周気密された挿入接続状態（この状態では、後述する散布容器９の突出管９１は押し込まれた状態になっている）となるように、散布容器９を固定装置８でセットする。次に、図５に示す状態において、三方バルブ６を液注入位置に、エアーバルブ５をＯＦＦ位置に、それぞれセットする（図５参照）。
▲２▼．▲１▼の如くセットされると、投与容器１の第２室１５内の加圧空気はエアーバルブ５を介して大気に開放され、バネ１６の付勢力により、出力軸１３を介してピストン１１が右側に移動せしめられる。缶３内の液体媒体は、ラインＬ６→ラインＬ５→三方バルブ６→ラインＬ４の経路で、投与容器１の第１室１４内に吸引される（図６参照）。
▲３▼．出力軸１３が右側へ移動してドグ１６が一方向作動メカニカルバルブ７のレバー７１を押し込むと、加圧ガス装置２からの加圧ガスがラインＬ２→三方バルブ６→ラインＬ４の経路で第１室１４に充填される。この充填状態は、ピストン１１が最右側に到るまで継続される（図６、図７参照）。
【００２４】
なお、次の操作がなければ、この状態で待機した状態が維持される。
Ｂ．液体媒体及び加圧ガスの散布容器９への充填
▲４▼．図７の状態において、エアーバルブ５を液注入位置にセットする。
▲５▼．▲４▼の如くセットされると、加圧ガス装置２からの加圧ガスがラインＬ１を通じて第２室１５に充填され、バネ１６の付勢力に抗してピストン１１が左側に移動する。よって、第１室１４の液体媒体及び加圧ガスは、ラインＬ４→ラインＬ３→充填接続部４→開状態にある単一バルブ９０の経路で散布容器９内に充填される。図５の状態までドグ１７が移動すると充填は完了する。
Ｃ．加圧ガスのみの充填
▲６▼．三方バルブ６をエアー注入位置にセットし、エアーバルブ５をＯＦＦ位置にセットする。すると、加圧ガスは加圧ガス装置２→三方バルブ６→ラインＬ５→充填接続部４の経路で散布容器に加圧ガスが充填される。
（この散布容器補充用の充填装置Ｊの優れた点について）
この散布容器補充用の充填装置は、上記した（この散布容器補充用の充填装置Ｊの機能について）の欄の説明からも明らかなように、散布容器に迅速且つ確実に液体媒体及び加圧ガスを充填できる。
【００２５】
この散布容器補充用の充填装置は、構成機器の部品点数を少なくしてあるので、装置全体として安価である。
〔他の実施形態〕
加圧ガス装置２は、上記実施形態ではエアー源であったが、用途によっては他のガス発生源であってもよい。
【００２６】
【発明の効果】
発明の実施の形態の欄に記載の内容から、安価で、且つ散布容器に迅速且つ確実に液体媒体及び加圧ガスを充填できる散布容器補充用の充填装置を提供できた。
【図面の簡単な説明】
【図１】図１はこの発明の実施形態における散布容器補充用の充填装置の平面図。
【図２】図２は前記散布容器補充用の充填装置の正面図。
【図３】図３は散布容器の断面図。
【図４】図４は散布容器の単一バルブの断面図。
【図５】図５は前記散布容器補充用の充填装置の作用（液体媒体の吸引）を示す概念図。
【図６】図６は前記散布容器補充用の充填装置の作用（加圧ガスの吸引）を示す概念図。
【図７】図７は前記散布容器補充用の充填装置の作用（液体媒体及び加圧ガスの散布容器への充填）を示す概念図。
【図８】前記散布容器の突出管を接続孔に挿入した状態を示す説明図。
【符号の説明】
Ｊ      散布容器補充用の充填装置
１      投与容器
１０    シリンダ
１１    ピストン
１２    シールリング
１３    出力軸
１４    第１室
１５    第２室
２      加圧ガス装置
４      充填接続部
８      固定装置
９      散布容器
９０    単一バルブ
９１    突出管
【図１】
2005059855.tif 000003
【図２】
2005059855.tif 000004
【図３】
2005059855.tif 000005
【図４】
2005059855.tif 000006
【図５】
2005059855.tif 000007
【図６】
2005059855.tif 000008
【図７】
2005059855.tif 000009
【図８】
2005059855.tif 000010